(57)【要約】【課題】レンズホルダの共振を効果的に抑えることのでき、かつ、レンズホルダの軽量化を図ることもできる光ヘッド装置を提供すること。【解決手段】光ヘッド装置１において、レンズホルダ３では、駆動コイル４、５を保持するコイル保持部３１からレンズ保持部３５が突出し、レンズ保持部３５が薄型化されている。また、レンズ保持部３５を略リング状にすることにより、フォーカシング方向の振動に集約させ、それを第１の振動吸収部材１１で抑制している。また、レンズ保持部３５からリブを削除することにより、振動をトラッキング方向の振動に集約し、それを第２の振動吸収部材１２で抑制している。【選択図】　　　図４
2004127415.tif 000002
【特許請求の範囲】
【請求項１】
対物レンズおよび駆動コイルが搭載されたレンズホルダと、該レンズホルダをフォーカシング方向およびトラッキング方向に移動可能に支持する複数本の弾性支持部材とを有する光ヘッド装置において、
前記レンズホルダは、前記駆動コイルを保持するコイル保持部と、該コイル保持部から先端側に向けて突出して前記対物レンズを保持するレンズ保持部とを有し、
前記レンズ保持部は、該レンズ保持部の下方位置に配置される偏向素子との干渉を回避できるように前記コイル保持部よりも薄く形成されているとともに、側面部から先端側を前記対物レンズの外周形状に沿う円弧状とした平面形状を備え、かつ、当該レンズ保持部の最先端部分には、第１の振動吸収部材が取り付けられていることを特徴とする光ヘッド装置。
【請求項２】
対物レンズおよび駆動コイルが搭載されたレンズホルダと、該レンズホルダに連結されて当該レンズホルダをトラッキング方向およびフォーカシング方向に移動可能に支持する複数本の弾性支持部材とを有する光ヘッド装置において、
前記レンズホルダは、前記駆動コイルを保持するコイル保持部と、該コイル保持部から突出して前記対物レンズを保持するレンズ保持部とを有し、
前記レンズ保持部は、該レンズ保持部の下方位置に配置される偏向素子との干渉を回避できるように前記コイル保持部よりも薄く形成され、
前記コイル保持部と前記レンズ保持部との境界部分に相当する位置に１個ないし複数個の第２の振動吸収部材が取り付けられていることを特徴とする光ヘッド装置。
【請求項３】
請求項２において、前記レンズ保持部は、側面部から先端側を前記対物レンズの外周形状に沿う円弧状とした平面形状を備え、当該レンズ保持部の最先端部分に第１の振動吸収部材が取り付けられていることを特徴とする光ヘッド装置。
【発明の詳細な説明】
【０００１】
【発明の属する技術分野】
本発明は、光記録媒体の記録、再生に用いられる光ヘッド装置に関するものである。さらに詳しくは、この光ヘッド装置における対物レンズの振動防止技術に関するものである。
【０００２】
【従来の技術】
ＣＤ、ＣＤ−Ｒ、ＤＶＤなどの光記録媒体の記録、再生を行う光ヘッド装置は、例えば、図５（Ａ）、（Ｂ）に示すように、対物レンズ２を保持するレンズホルダ３と、このレンズホルダ３を支持する４本のワイヤー４と、レンズホルダ３に固着されたフォーカシング用の駆動コイル５およびトラッキング用の駆動コイル６と、これらの駆動コイル５、６に対して鎖交する磁束を発生する駆動マグネット７、８とを有している。駆動コイル５、６に対する駆動回路（図示せず）は、ワイヤー４が固定された固定部材（図示せず）の側に配置され、駆動コイル５、６に対する給電はワイヤー４を給電ラインとして行われる。
【０００３】
レンズホルダ３は、従来、その中心位置に対物レンズ２が配置されているものが主流であったが、ここに示す光ヘッド装置において、レンズホルダ３は、駆動コイル４、５を保持するコイル保持部３１と、コイル保持部３１から先端側に向けて突出して上面で対物レンズ２を保持するレンズ保持部３５とを有している。
【０００４】
このように構成した光ヘッド装置において、駆動コイル５、６に通電すると、それによって発生したローレンツ力によって、対物レンズ２を保持するレンズホルダ３をフォーカシング方向およびトラッキング方向に駆動することができる。
その際に、対物レンズ２が振動すると、光記録媒体の記録、再生を適正に行うことができない。このような振動に関して、レンズホルダ３の中心位置に対物レンズ２が配置されているものでは、レンズホルダ３の重心位置が対物レンズ４の中心に重なっていて共振が起こりにくく、かつ、共振が起こっても影響が表面化しにくい傾向にあったが、図５（Ａ）、（Ｂ）に示す光ヘッド装置のように、コイル保持部３１からレンズ保持部３５が張り出した構造では、共振が起こりやすく、かつ、コイル保持部３１よりもレンズ保持部３５の方が軽いため、対物レンズ２に共振の影響が出やすい傾向にある。
【０００５】
そこで、レンズ保持部３１を分厚くして剛性を高めることにより、共振の影響を抑える技術が採用されていたが、近年の光ヘッド装置に対する薄型化要求から、図５（Ａ）、（Ｂ）に示すように、レンズ保持部３１については薄型化が進められている。
【０００６】
このため、薄型化しても共振の影響を抑えることができるように、レンズ保持部３１については、コイル保持部３１と略等幅な広幅部３５１を設け、この広幅部３５１から先端側３５２を対物レンズ２の周りを大きく囲むような平面形状とすることにより対物レンズ２の周辺に広い面積を確保し、レンズ保持部３５の剛性を高めている。
【０００７】
【発明が解決しようとする課題】
しかしながら、レンズ保持部３１を薄型化した際、レンズ保持部部３１の大面積化を図ったところ、レンズ保持部３１において平面内でトランポリンのような大きな振動が顕在化するという問題点が発生している。
【０００８】
また、本願出願人は、レンズ保持部３１を薄型化した際、その付け根部分の剛性を高める必要があるとして、図６（Ａ）、（Ｂ）に示すように、レンズ保持部３１の側面部にリブ３６を設けてみた。
【０００９】
しかしながら、レンズ保持部３１が薄型化されているのにリブ３６を設けると、レンズ保持部３１に捩れ振動が発生するという新たな問題点が発生した。
【００１０】
以上の問題点に鑑みて、本発明の課題は、レンズ保持部を薄型化しても、対物レンズの振動を効果的に抑えることのできる光ヘッド装置を提供することにある。
【００１１】
【課題を解決するための手段】
上記課題を解決するために、本発明の第１の形態では、対物レンズおよび駆動コイルが搭載されたレンズホルダと、該レンズホルダをフォーカシング方向およびトラッキング方向に移動可能に支持する複数本の弾性支持部材とを有する光ヘッド装置において、前記レンズホルダは、前記駆動コイルを保持するコイル保持部と、該コイル保持部から先端側に向けて突出して前記対物レンズを保持するレンズ保持部とを有し、前記レンズ保持部は、該レンズ保持部の下方位置に配置される偏向素子との干渉を回避できるように前記コイル保持部よりも薄く形成されているとともに、側面部から先端側を前記対物レンズの外周形状に沿う円弧状とした平面形状を備え、かつ、当該レンズ保持部の最先端部分に第１の振動吸収部材が取り付けられていることを特徴とする。
【００１２】
薄型化したレンズ保持部を大面積化してその剛性を高めようとすると、レンズ保持部の平面内で大きな振動が起こることから、本発明の第１の形態では、レンズ保持部については、側面部から先端側を対物レンズの外周形状に沿う円弧状の平面形状とし、レンズ保持部の平面内での振動を抑制してある。また、このような構成だけでは、レンズ保持部には、その付け根部分に対するフォーカシング方向の片持ち振動（面外方向への振動）が残るので、レンズ保持部の最先端部分に第１の振動吸収部材を取り付けて、このような片持ち振動も抑制してある。すなわち、本発明では、レンズ保持部を略リング状にすることにより、フォーカシング方向の振動をレンズ保持部の先端部に集約させ、それを第１の振動吸収部材で抑制している。従って、本発明によれば、レンズ保持部を薄型化しても、対物レンズの共振を効果的に抑えることができる。
【００１３】
本発明の第２の形態では、対物レンズおよび駆動コイルが搭載されたレンズホルダと、該レンズホルダに連結されて当該レンズホルダをトラッキング方向およびフォーカシング方向に移動可能に支持する複数本の弾性支持部材とを有する光ヘッド装置において、前記レンズホルダは、前記駆動コイルを保持するコイル保持部と、該コイル保持部から突出して前記対物レンズを保持するレンズ保持部とを有し、前記レンズ保持部は、該レンズ保持部の下方位置に配置される偏向素子との干渉を回避できるように前記コイル保持部よりも薄く形成され、前記コイル保持部と前記レンズ保持部との境界部分に相当する位置に１個ないし複数個の第２の振動吸収部材が取り付けられていることを特徴とする。
【００１４】
レンズ保持部を薄型化した際、その付け根部分にリブを設けて剛性を高めると、捩れ振動が顕在化することから、本発明の第２の形態では、付け根部分からリブを省き、その代わりに、リブを省いたことにより顕在化してくるトラッキング方向の振動を第２の振動吸収部材で抑制している。すなわち、本発明では、レンズホルダからリブを削除することにより、トラッキング方向の振動をレンズ保持部の付け根部分に集約させ、それを第２の振動吸収部材で抑制している。従って、本発明によれば、レンズ保持部を薄型化しても、対物レンズの共振を効果的に抑えることができる。
【００１５】
本発明では、第１の形態と第２の形態の双方を組み合わせてもよい。すなわち、本発明の第２の形態において、第１の形態と同様、前記レンズ保持部は、側面部から先端側にかけて前記対物レンズの外周形状に沿う円弧状とした平面形状を備え、当該レンズ保持部の最先端部分に第１の振動吸収部材が取り付けられていてもよい。
【００１６】
【発明の実施の形態】
図面を参照して、本発明の実施の形態を説明する。なお、以下に説明する実施の形態は、基本的な構成が従来のものと共通しているので、共通する部分には同一の符号を付して説明する。
【００１７】
［実施の形態１］
図１（Ａ）、（Ｂ）はそれぞれ、本発明の実施の形態１に係る光ヘッド装置の要部の構成を示す平面図、および斜視図である。図２（Ａ）、（Ｂ）はそれぞれ、図１に示す光ヘッド装置の要部の一部を切り欠いて示す斜視図、およびその縦断面図である。なお、図１（Ｂ）には、ワイヤーや駆動マグネットなどの図示を省略してある。
【００１８】
図１および図２において、本形態の光ヘッド装置１は、ＣＤ、ＣＤ−Ｒ、ＤＶＤなどの光記録媒体の記録、再生を行うためのものであり、対物レンズ２を保持するレンズホルダ３と、このレンズホルダ３を４本のワイヤー４を介して支持する固定部材（図示せず）と、レンズホルダ３に固着されたフォーカシング用の駆動コイル５およびトラッキング用の駆動コイル６と、これらの駆動コイル５、６に対して鎖交する磁束を発生する駆動マグネット７、８とを有している。駆動コイル５、６に対する駆動回路（図示せず）は固定部材の側に配置され、駆動コイル５、６に対する給電はワイヤー４を給電ラインとして行われる。
【００１９】
レンズホルダ３は、駆動コイル５、６を保持するコイル保持部３１と、コイル保持部３１から先端側に向けて突出して上面で対物レンズ２を保持するレンズ保持部３５とを有している。
【００２０】
本形態の光ヘッド装置１において、レンズ保持部３５は、レンズ保持部３５の下方位置に斜め配置される全反射ミラーなどの偏向素子９との干渉を回避できるようにコイル保持部３１よりもかなり薄く形成され、コイル保持部３５が軽量化されている。
【００２１】
但し、レンズ保持部３５を薄くすると、レンズ保持部３５は、剛性が低下し、かつ、軽くなるため、このままでは、コイル保持部３５が共振しやすくなる。それでも、本形態では、コイル保持部３５を大面積にして剛性を高めるという手法を採用せずに、コイル保持部３５を略リング状に構成してある。
【００２２】
すなわち、レンズ保持部３５は、コイル保持部３１から等幅に延びた広幅部３５６、この広幅部３５６との境界部分で大きく内側に屈曲して側面が斜めになっている傾斜部３５７と、この傾斜部３５７との境界部分（側面部）から先端側３５８を対物レンズ２の外周縁に沿う円弧状とした平面形状を備えている。
【００２３】
また、本形態では、レンズ保持部３５の先端に平坦部３５０を設け、この平坦部３５０に第１の振動吸収部材１１を取り付けてある。ここで、振動吸収部材１１は、金属製のウエイト部材１１１がゴムなどの弾性部材１１２を介してレンズホルダ３に弾性接着剤や熱硬化型の接着剤で固着されたダンパである。
【００２４】
このように構成した光ヘッド装置１において、駆動コイル５、６に通電すると、それによって発生したローレンツ力によって、対物レンズ２を保持するレンズホルダ３をフォーカシング方向およびトラッキング方向に駆動することができる。
【００２５】
ここで、レンズホルダ３では、レンズ保持部３１がコイル保持部３５から突出した形状になっており、かつ、薄型化されている。このため、レンズ保持部３５は、軽量化されている分、剛性が低くなっている。但し、本形態において、レンズ保持部３５については、まず、側面部から先端側を対物レンズ２の外周形状に沿う円弧状の平面形状とすることにより、レンズ保持部３５の平面内での振動を抑制してある。また、このような構成だけでは、レンズ保持部３５には、その付け根部分に対するフォーカシング方向の片持ち振動（面外方向への振動）が残るので、レンズ保持部３５の最先端部分に第１の振動吸収部材１１を取り付けて、このような片持ち振動も抑制してある。すなわち、本形態では、レンズ保持部３５を略リング状にすることにより、フォーカシング方向の振動をレンズ保持部３５の先端部に集約させ、それを第１の振動吸収部材１１で抑制している。従って、本発明によれば、レンズ保持部３５を薄型化しても、対物レンズ２の共振を効果的に抑えることができる。
【００２６】
また、レンズ保持部３５を薄型化してあるため、レンズホルダ３を軽量化できるとともに、対物レンズ２の下方位置において対物レンズ２に接近した位置に偏向素子９を配置しても、偏向素子９とレンズホルダ３とが干渉しないので、光ヘッド装置１全体としての軽量化、薄型化を図ることができる。
【００２７】
［実施の形態２］
図３は、本発明の実施の形態２に係る光ヘッド装置の要部の斜視図である。なお、本形態の基本的な構成は、実施の形態１と同様であるため、共通する機能を有する部分には、同一の符号を付して図示することにして、それらの説明を省略する。また、図３において、ワイヤーや駆動マグネットなどの図示を省略してある。
【００２８】
図３において、本形態の光ヘッド装置１も、実施の形態１と同様、レンズホルダ３は、駆動コイル４、５を保持するコイル保持部３１と、コイル保持部３１から先端側に向けて突出して上面で対物レンズ２を保持するレンズ保持部３５とを有している。
【００２９】
また、レンズ保持部３５は、実施の形態１と同様、コイル保持部３１から等幅に延びた広幅部３５６、この広幅部３５６との境界部分で大きく内側に屈曲して側面が斜めになっている傾斜部３５７と、この傾斜部３５７との境界部分（側面部）から先端側３５８を対物レンズ２の外周縁に沿う円弧状とした平面形状を備えており、略リング状になっている。
【００３０】
本形態の光ヘッド装置１において、レンズ保持部３５は、レンズ保持部３５の下方位置に斜め配置される全反射ミラーなどの偏向素子（図２（Ａ）、（Ｂ）を参照）との干渉を回避できるようにコイル保持部３１よりもかなり薄く形成され、コイル保持部３５が軽量化されている。
【００３１】
このように本形態では、レンズ保持部３５を薄くした分、レンズホルダ３の剛性が低く、かつ、コイル保持部３５は、コイル保持部３５よりも軽い。それでも、本形態では、レンズ保持部３５に、図６（Ａ）、（Ｂ）を参照して説明したようなリブを設けるという手法を採用せず、コイル保持部３１とレンズ保持部３５との境界部分、すなわち、レンズ保持部３５の付け根部分の上面の左右両側の各々に第２の振動吸収部材１２を取り付けた構成としてある。ここで、振動吸収部材１２は、金属製のウエイト部材１２１がゴムなどの弾性部材１２２を介してレンズホルダ３に弾性接着剤や熱硬化型の接着剤で固着されたダンパである。
【００３２】
このように構成した光ヘッド装置１においても、駆動コイル５、６に通電すると、それによって発生したローレンツ力によって、対物レンズ２を保持するレンズホルダ３をフォーカシング方向およびトラッキング方向に駆動することができる。
【００３３】
ここで、レンズ保持部３５の付け根部分に、図６（Ａ）、（Ｂ）に示すようなリブを設けて剛性を高めると捩れ振動が顕在化することから、本形態では、付け根部分からリブを省き、その代わりに、リブを省いたことにより顕在化してくるトラッキング方向の振動を第２の振動吸収部材１２で抑制している。すなわち、本形態では、レンズ保持部３５からリブを削除することにより、トラッキング方向の振動をレンズ保持部３５の付け根部分に集約させ、それを第２の振動吸収部材１２で抑制している。従って、本発明によれば、レンズ保持部３５を薄型化しても、対物レンズ２の共振を効果的に抑えることができる。
【００３４】
また、本形態でも、レンズ保持部３５を薄型化してあるため、レンズホルダ３を軽量化できるとともに、対物レンズ２に接近した位置に偏向素子を配置しても、偏向素子とレンズホルダ３とが干渉しないので、光ヘッド装置１全体としての軽量化、薄型化を図ることができる。
【００３５】
［実施の形態３］
図４は、本発明の実施の形態３に係る光ヘッド装置の要部の構成を示す斜視図である。なお、本形態の基本的な構成は、実施の形態１、２と同様であるため、共通する機能を有する部分には、同一の符号を付して図示することにして、それらの説明を省略する。また、図４において、ワイヤーや駆動マグネットなどの図示を省略してある。
【００３６】
図４において、本形態の光ヘッド装置１も、実施の形態１、２と同様、レンズホルダ３は、駆動コイル４、５を保持するコイル保持部３１と、コイル保持部３１から先端側に向けて突出して上面で対物レンズ２を保持するレンズ保持部３５とを有している。
【００３７】
また、レンズ保持部３５は、実施の形態１と同様、コイル保持部３１から等幅に延びた広幅部３５６、この広幅部３５６との境界部分で大きく内側に屈曲して側面が斜めになっている傾斜部３５７と、この傾斜部３５７との境界部分（側面部）から先端側３５８を対物レンズ２の外周縁に沿う円弧状とした平面形状を備えており、略リング状になっている。また、レンズ保持部３５には、図６（Ａ）、（Ｂ）に示すようなリブが形成されていない。
【００３８】
その代わり、本形態では、実施の形態１と同様、レンズ保持部３５の先端に平坦部３５０を設け、この平坦部３５０に第１の振動吸収部材１１を取り付け、レンズ保持部３５において、その付け根部分に対するフォーカシング方向の片持ち振動（面外方向への振動）を第１の振動吸収部材１１によって抑制してある。すなわち、本形態では、レンズ保持部３５を略リング状にすることにより、フォーカシング方向の振動をレンズ保持部３５の先端部に集約させ、それを第１の振動吸収部材１１で抑制している。
【００３９】
また、実施の形態２と同様、レンズ保持部３５の付け根部分の上面の左右両側の各々に第２の振動吸収部材１２を取り付けてある。従って、本形態でも、リブを省いたことにより顕在化してくるトラッキング方向の振動を第２の振動吸収部材１２で抑制している。すなわち、本形態では、レンズ保持部３５からリブを削除することにより、トラッキング方向の振動をレンズ保持部３５の付け根部分に集約させ、それを第２の振動吸収部材１２で抑制している。従って、本発明によれば、レンズ保持部３５を薄型化しても、対物レンズ２の共振を効果的に抑えることができる。
【００４０】
［その他の実施の形態］
なお、上記形態では、振動吸収部材１１、１２として、金属製のウエイト部が弾性部材を介してレンズホルダ３に接着剤で固着されたダンパを用いたが、粘着テープを用いてもよい。
【００４１】
また、レンズホルダ３に取り付ける振動吸収部材１１、１２の数については、１個、あるいは２個に限らず、それ以上の数であってもよい。
【００４２】
また、ダンパについては、光記録ディスクよりも柔らかい材料で構成し、ディスクが衝突した際の緩衝部材として利用してもよい。
【００４３】
【発明の効果】
以上説明したように、本発明においては、まず、レンズ保持部を略リング状にすることにより、フォーカシング方向の振動をレンズ保持部の先端部に集約させ、それを第１の振動吸収部材で抑制している。従って、本発明によれば、レンズ保持部を薄型化しても、対物レンズの共振を効果的に抑えることができる。
【００４４】
また、本発明においては、レンズ保持部からリブを削除することにより、トラッキング方向の振動をレンズ保持部の付け根部分に集約させ、それを第２の振動吸収部材で抑制している。従って、本発明によれば、レンズ保持部を薄型化しても、対物レンズの共振を効果的に抑えることができる。
【図面の簡単な説明】
【図１】（Ａ）、（Ｂ）はそれぞれ、本発明の実施の形態１に係る光ヘッド装置の要部の構成を示す平面図、および斜視図である。
【図２】（Ａ）、（Ｂ）はそれぞれ、図１に示す光ヘッド装置の要部の一部を切り欠いて示す斜視図、およびその縦断面図である。
【図３】本発明の実施の形態２に係る光ヘッド装置の要部の構成を示す斜視図である。
【図４】本発明の実施の形態３に係る光ヘッド装置の要部の構成を示す斜視図である。
【図５】（Ａ）、（Ｂ）はそれぞれ、従来の光ヘッド装置の要部の構成を示す平面図、および斜視図である。
【図６】（Ａ）、（Ｂ）はそれぞれ、従来の別の光ヘッド装置の要部の構成を示す平面図、および斜視図である。
【符号の説明】
１　光ヘッド装置
２　対物レンズ
３　レンズホルダ
４　ワイヤー（弾性支持部材）
５、６　駆動コイル
７、８　駆動マグネット
９　偏向素子
１１　第１の振動吸収部材
１２　第２の振動吸収部材
３１　コイル保持部
３５　レンズ保持部
【図１】
2004127415.tif 000003
【図２】
2004127415.tif 000004
【図３】
2004127415.tif 000005
【図４】
2004127415.tif 000006
【図５】
2004127415.tif 000007
【図６】
2004127415.tif 000008